(57)【要約】  【課題】圧縮機を本体上部に設置する冷蔵庫において、組み立て精度，生産効率が高く、音源から発生する騒音の抑制と、振動の伝播を抑制した冷蔵庫を提供する。  【解決手段】外箱１１５の機械室１１３が対応する部分に切り欠き部１１６を設け、切り欠き部１１６に樹脂で形成した機械室の外郭１１４を係合させ、この機械室の外郭１１４上に圧縮機１２２，凝縮器１２３、強制冷却用の送風機１２８等を載置したものであり、圧縮機１２２等を収容する異形で複雑な形状の機械室部分を樹脂成形で別途一体に形成することができ、作業性の向上と組み立て精度の向上が図れる。また、鋼板製の外箱１１５に対して材質の異なる樹脂成形の機械室の外郭１１４を、前壁と底壁と両側壁とを有する断面略Ｌ字状に形成して接合することによって圧縮機１２２，送風機１２８の騒音，振動が冷蔵庫本体１０１への伝播するのを抑制することができる。【選択図】図２
2007003182.tif 000002
【特許請求の範囲】
【請求項１】
外箱と内箱と前記外箱と前記内箱との間に設けた断熱材とよりなる断熱箱体と、前記断熱箱体の天面後方を庫内側に凹ませて形成した機械室と、前記機械室内に収容した冷凍サイクルの圧縮機とを有し、前記外箱を金属板で形成し、前記圧縮機を載置する前記機械室の外郭を樹脂で形成し、機械室の前記外郭を前壁と底壁と両側壁とを有する断面略Ｌ字状に形成した冷蔵庫。
【請求項２】
機械室の外郭の前記各壁の端面にフランジ面を設けた請求項１に記載の冷蔵庫。
【請求項３】
外箱の前記両側面板と機械室の外郭の前記両側壁とをそれぞれ対面させて接合した請求項１または２に記載の冷蔵庫。
【請求項４】
外箱の前記両側面板と機械室外郭の前記両側壁とを空間をおいてそれぞれ対面させ、前記空間内に断熱材を設けた請求項３に記載の冷蔵庫。
【請求項５】
外箱と内箱との間に発泡断熱材を充填発泡させ、前記空間内にも前記発泡断熱材を充填発泡させた請求項４に記載の冷蔵庫。
【請求項６】
前記外箱の前記機械室が対応する部分に切り欠き部が設けられ、前記切り欠き部に樹脂で形成した前記機械室の外郭を係合させた請求項１から５のいずれか一項に記載の冷蔵庫。
【請求項７】
切り欠き部の両側部に形成した外箱の平面部に機械室の外郭両側壁の前記フランジ面を重合させて接合した請求項６に記載の冷蔵庫。
【請求項８】
外箱の両側面板に真空断熱材を貼着し、前記真空断熱材を外箱の両側面板と機械室外郭の両側壁との間の前記空間内に延在させた請求項４から７のいずれか一項に記載の冷蔵庫。
【請求項９】
機械室の前記外郭の裏面に真空断熱材を帖着した請求項１から８のいずれか一項に記載の冷蔵庫。
【発明の詳細な説明】
【技術分野】
【０００１】
本発明は圧縮機を天面部に載置した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来この種の冷蔵庫は、最下部に配設された貯蔵室の収納容積の拡大を図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図８は、従来の冷蔵庫の断面図である。図９は従来の冷蔵庫を後方より見た要部斜視図である。
【０００５】
図に示すように、断熱箱体１の外壁を形成する一般的には鋼板製の外箱２と、断熱箱体１の庫内壁を形成する一般的には樹脂製の内箱３と、外箱２と内箱３の間に発泡充填させた発泡ウレタン断熱材４からなり、上から順に、冷蔵室５、冷凍室６、野菜室７を有し、冷蔵室５の前面開口には、冷蔵室回転扉８を設けている。また、断熱箱体１の中央から下方部に位置する冷凍室６と野菜室７は収納性と使い勝手を考慮して、簡易に取り出しが行える引き出しタイプの冷凍室引き出し扉９と野菜室引き出し扉１２を設けてある。
【０００６】
断熱箱体１に設けた凹部２０は、外箱上面２１と外箱背面２２に渡る天面後背部を冷蔵室５の最上部の後背部が下がるように凹ませた箇所である。凹部２０はその左右が断熱箱体１の左右壁２３，２４にて塞がれ上方および背方に開放しており、この凹部２０の開放部は、上板２５とこれにほぼ直角な背板２６とからなる凹部カバー２７にて覆われている。また、凹部カバー２５はネジなどにて外箱２の鋼板に取外し可能に固定されている。
【０００７】
冷凍サイクルの構成機器である圧縮機３１と凝縮器３２は共に凹部２０内に収まるように配設され、凝縮器３２の前面に対向して設けられた凝縮器冷却用の機械室ファン３３と併せて凹部カバー２７にて覆われている。
【０００８】
また、圧縮機３１は弾性部材等を介して凹部２０内の底壁に直接支持され載置されており、機械室ファン３３も凹部２０内の前壁に直接支持されている。
【０００９】
また、凹部カバー２７の上板２５と背板２６には、放熱のために複数の通気口３４，３５がそれぞれ設けられており、その配置構成から、上板２５に開口した通気口３４を吸気口とし、背板２６に開口した通気口３５を排気口としている。
【００１０】
また、冷凍サイクルの構成機器である蒸発器３６は冷凍室６の後背部に冷却ファン３７と共に配設されており、最下部の貯蔵室である野菜室７は奥行き深く構成してある。
【００１１】
これにより、断熱箱体１の背面下部に圧縮機３１や凝縮器３２を収納するものと比較して、野菜室７の内容積を大きく、深く構成できる。また、高圧機器を断熱箱体１の上部に配置しても、使用者の手が届きにくくて使いにくいために敬遠される天面後背部のスペースに高圧機器の収容部となる凹部２０を設けているため、最上部の貯蔵室である冷蔵室５の使い勝手を実質的に損ねることがないものである。
【特許文献１】特開２００１−９９５５２号公報
【発明の開示】
【発明が解決しようとする課題】
【００１２】
しかしながら、上記従来の構成では、断熱箱体１を直接凹ませて凹部２０を形成しているため、圧縮機３１などの比較的外形の大きな高圧機器等を収容する関係上、凹部２０の両側部に左右壁２３，２４を有する場合は特に、外箱上面２１と外箱背面２２の鋼板を一体絞り加工したり、外箱上面２１と外箱背面２２の鋼板を折曲加工して接合したりする製造上相当に困難であり、作業性が悪く製造コストもかさむという問題点があった。
【００１３】
また、凹部２０の内壁が断熱箱体の外箱２の表面となるため、騒音，振動発生源である圧縮機３１や機械室ファン３３を外箱２に直接支持する構成となり、これらの騒音，振動は、凹部２０を介し冷蔵室５等の庫内へ透過する。特に使用者が冷蔵庫回転扉８を開けた場合に、冷蔵庫正面側へ漏れやすく、その結果、騒音，振動発生源である圧縮機３１，機械室ファン３３が高さ的に人間の耳の高さに近い箇所にあるため、騒音が気になったり、扉開閉時等にヒンジ機構で断熱箱体１に枢支される冷蔵庫回転扉８に触れた場合に振動が伝わりやすく、冷蔵庫本体が共振して他の部品（例えば、冷蔵室５内の食品収納棚）へ伝播し、その部品が振動することによる共振音が発生する、という問題点があった。
【００１４】
さらには、凹部２０内への圧縮機３１，凝縮器３２，機械室ファン３３等の収容部品の取り付けを凹部２０の内壁面に直接行うことになるため、部品の位置決めなどを含めて作業性が悪く、取り付けばらつきが生じやすくなって騒音，振動を助長する原因にもなる、という問題点もあった。
【００１５】
また、断熱箱体のフレームは、例えば０．５ｍｍ程度の鋼板製の外箱２と２ｍｍ程度の薄肉ＡＢＳでできた内箱３及びで内部の発泡ウレタン断熱材４を覆う３層構造となるが、断熱箱体１の上部は凹部２０により矩形形状ではなく異形となるため、強度が不十分であった。
【００１６】
したがって、圧縮機３１１および機械室ファン３３が動作する時、これらによる振動が断熱箱体１に直接的に伝播すると、共振音がさらに大きくなる懸念があった。
【００１７】
また、凹部２０の周辺強度が不十分であると、冷蔵庫本体の運搬時に必要な取っ手の取り付け強度が不十分となり、運搬時の安全性を確保することが容易ではない、という問題点があった。
【００１８】
また、凹部２０内での凝縮器３２と機械室ファン３３の配置関係と吸気用の通気口３４と，排気用の通気口３５の配置関係が、凹部２０の奥行き方向に並べられているため、凹部２０内のスペースが有効に活用されておらず、機械室ファン３３による圧縮機３１の冷却効果も含めて凹部２０内の放熱効率が十分に高められない構成であり、凹部２０内の温度上昇により冷蔵室５内への熱漏洩による省エネルギー面での影響が生じる懸念があった。
【００１９】
また、凹部２０内に収容した圧縮機３１，凝縮器３２に冷凍サイクルの冷媒配管を接続する際には、外箱上面２１と外箱背面２２の鋼板を貫通して冷媒配管を配設しなければならず、貫通部における冷媒配管の支持固定やシール性が不十分なものになり、冷媒配管の折れ等の損傷や発泡ウレタン断熱材４の漏れ等が生じる問題点があった。
【００２０】
本発明は、上記従来の課題を解決するもので、圧縮機を断熱箱体の天面部に凹部を設けて設置する冷蔵庫において、圧縮機を収容する凹部の組み立ての簡素化と精度の向上を通じて構造強度の向上を図り、騒音，振動の伝播を抑制するとともに、省エネルギー化にも寄与する冷蔵庫を提供することを目的とする。
【課題を解決するための手段】
【００２１】
上記従来の課題を解決するために、本発明の冷蔵庫は、外箱と内箱と前記外箱と前記内箱との間に設けた断熱材とよりなる断熱箱体と、前記断熱箱体の天面後方を庫内側に凹ませて形成した機械室と、前記機械室内に収容した冷凍サイクルの圧縮機とを有し、前記外箱を金属板で形成し、前記圧縮機を載置する前記機械室の外郭を樹脂で形成し、機械室の前記外郭を前壁と底壁と両側壁とを有する断面略Ｌ字状に形成したものである。
【００２２】
これによって、圧縮機を収容する異形で複雑な形状の機械室部分を樹脂成形で別途一体に形成することができ、機械室の組み立て工程において簡素化による作業性の向上と組み立て精度の向上が図れる。また、機械室外郭の樹脂成形における補強構造や外箱との接合構造を適切なものとすることにより剛性が高くなり、かつ鋼板に代表される金属板製の外箱と材質の異なる樹脂成形の機械室外郭を接合することによって圧縮機の騒音，振動が冷蔵庫本体への伝播するのを抑制することができる。
【００２３】
また、機械室の前記外郭を前壁と底壁と両側壁とを有する断面略Ｌ字状に形成することにより、樹脂で形成された機械室の外郭自体の構造強度をまず高めることができ、圧縮機や送風機の振動，騒音の伝達を抑制する基盤構成とすることが可能である。
【発明の効果】
【００２４】
本発明の冷蔵庫は、圧縮機を収容する機械室を冷蔵庫本体の天面部に形成した冷蔵庫において、機械室の組み立て作業性と組み立て精度の向上が図れ、圧縮機上部配置型の冷蔵庫を高い品質で合理的に提供することができる。また、機械室外郭の剛性が高くなり、圧縮機の騒音，振動の伝播を抑制し、庫内部品の共振音の発生等も防止して使用者や居住者の不快感を拭うことができる。
【発明を実施するための最良の形態】
【００２５】
請求項１に記載の発明は、外箱と内箱と前記外箱と前記内箱との間に設けた断熱材とよりなる断熱箱体と、前記断熱箱体の天面後方を庫内側に凹ませて形成した機械室と、前記機械室内に収容した冷凍サイクルの圧縮機とを有し、前記外箱を金属板で形成し、前記圧縮機を載置する前記機械室の外郭を樹脂で形成し、機械室の前記外郭を前壁と底壁と両側壁とを有する断面略Ｌ字状に形成したものであり、圧縮機を収容する異形で複雑な形状の機械室部分を樹脂成形で別途一体に形成することができ、機械室の組み立て工程において簡素化による作業性の向上と組み立て精度の向上が図れ、製造コストを抑えて、圧縮機上部配置型の冷蔵庫を高い品質で合理的に提供することができる。
【００２６】
また、機械室の前記外郭を前壁と底壁と両側壁とを有する断面略Ｌ字状に形成することにより、樹脂で形成された機械室の外郭自体の構造強度をまず高めることができ、圧縮機や送風機の振動，騒音の伝達を抑制する基盤構成とすることが可能である。
【００２７】
また、機械室外郭の樹脂成形における補強構造や外箱との接合構造を適切なものとすることにより剛性が高くなり、かつ鋼板に代表される金属板製の外箱と材質の異なる樹脂成形の機械室外郭を接合することによって振動伝播が減衰し、圧縮機の騒音，振動が冷蔵庫本体への伝播することが抑制され、庫内部品の共振音の発生等も防止できて、人の耳障りになりやすい配置となる圧縮機上部配置型の冷蔵庫においても使用者や居住者の不快感を拭うことができる。
【００２８】
また、機械室外郭を別途樹脂で一体成型して冷蔵庫本体の外箱と接合する構成を採用することによって、製造工程においては冷蔵庫の外形の異なる製品間でも機械室部分の共用化や標準化を図れる可能性を有するものである。
【００２９】
また、製造工程の工夫によっては、樹脂成形された機械室外郭に圧縮機をはじめとした各部品を予め装着して予備的に組み立てておき、この機械室の予備組み立て品を冷蔵庫本体の外箱に装着して接合させ、冷媒配管等を連結するなどの方法も考えられ、製造工程の一層の合理化による生産性の向上や予備組み立て品としての共用化、標準化を取り入れることによる製造コストの低減が図れる。
【００３０】
請求項２に記載の発明は、請求項１に記載の発明において、機械室の外郭の前記各壁の端面にフランジ面を設けたものであり、機械室の外郭の各壁端面をそのままでなく、折曲形成することによる剛性の強化が図れ、冷蔵庫本体との接合構造において圧縮機や送風機の振動，騒音の伝達を抑制することが可能である。
【００３１】
請求項３に記載の発明は、請求項１または２に記載の発明において、外箱の前記両側面板と機械室の外郭の前記両側壁とをそれぞれ対面させて接合したものであり、機械室両側部の外箱強度を補強することができ機械室から外箱への振動伝播を抑制することができる。
【００３２】
請求項４に記載の発明は、請求項３に記載の発明において、外箱の前記両側面板と機械室外郭の前記両側壁とを空間をおいてそれぞれ対面させ、前記空間内に断熱材を設けたものであり、両側面板と機械室外郭の両側壁の接合部の強度を補強することができる。また、機械室の両側壁からの騒音の透過を減衰し圧縮機，送風機の外部への騒音影響を低減することができる。
【００３３】
請求項５に記載の発明は、請求項４に記載の発明において、外箱と内箱との間に発泡断熱材を充填発泡させ、前記空間内にも前記発泡断熱材を充填発泡させたものであり、両側面板と機械室外郭の両側壁の接合部の剛性を一層高めることができ、剛性の弱くなりがちな機械室側壁の強度を一層高めることができるので、圧縮機，送風機等の振動により側壁が振動することによる庫内共振音や、圧縮機，送風機から外部への騒音透過を低減することができる。また、機械室カバーや運搬用取っ手等の取り付けの基部としての強度を持たせることもできる。
【００３４】
請求項６に記載の発明は、請求項１から５のいずれか一項に記載に発明において、前記外箱の前記機械室が対応する部分に切り欠き部が設けられ、前記切り欠き部に樹脂で形成した前記機械室の外郭を係合させたものであり、予め外箱の機械室相当部分を切り欠いておくことによって、機械室相当部分の異形で複雑な形状を外箱で形成する必要がなく、鈑金工程の難易度が抑えられて簡素化され、金属板である鋼板も高価な深絞り材等を用いる必要がなく合理的に筐体を形成できる。
【００３５】
請求項７に記載の発明は、請求項６に記載に発明において、切り欠き部の両側部に形成した外箱の平面部に機械室の外郭両側壁の前記フランジ面を重合させて接合したものであり、外箱と機械室外郭の両側部の接合部位の組み合わせが容易となり、併せて接合強度を高めることができる。
【００３６】
請求項８に記載の発明は、請求項４から７のいずれか一項に記載に発明において、外箱の両側面板に真空断熱材を貼着し、前記真空断熱材を外箱の両側面板と機械室外郭の両側壁との間の前記空間内に延在させたものであり、機械室外郭の両側壁部分の強度と騒音の透過防止効果をより高めることができる。騒音透過に関して、さらに芯材材料として異種または構造の異なる真空断熱材をウレタン等の発泡断熱材と複層構造とすることによって、騒音透過に対する減衰効果を高めるとともに単一材料で遮音する場合と比べてより広い周波数域における騒音を減衰することができるので、外部へ伝達する騒音の漏れを減少させることができ、冷蔵庫の騒音を低減することができる。
【００３７】
請求項９に記載の発明は、請求項１から８のいずれか一項に記載に発明において、機械室の前記外郭の裏面に真空断熱材を帖着したものであり、発熱を伴う機器を収容する機械室内から庫内への熱漏洩を効果的に高めることができる。真空断熱材は機械室外郭に予め組み付けておくことができるため、貼り付け部位が樹脂成形で枠組みできるなど貼り付け精度がよく作業性もよい。また、真空断熱材の外被材の端部で発泡断熱材の流動性を妨げないように端部を織り込んだりする処理を貼り付け部位の樹脂成形の枠組み内で行いやすくなり、最も温度差が大きく断熱効果を要求される機械室と庫内間の断熱構造としての信頼性を高めることができる。
【００３８】
さらに芯材材料として異種または構造の異なる真空断熱材をウレタン等の発泡断熱材と複層構造とすることによって、騒音透過に対する減衰効果を高めるとともに単一材料で遮音する場合と比べてより広い周波数域における騒音を減衰することができるので、庫内へ伝達する騒音の漏れを減少させることができ、冷蔵庫の騒音を低減することができる。
【００３９】
以下、本発明による冷蔵庫の実施の形態について、図面を参照しながら説明するが、先の実施の形態と同一構成については同一符号を付して、その詳細な説明は省略する。なお、この実施の形態によってこの発明が限定されるものではない。
【００４０】
（実施の形態１）
図１は、本発明の実施の形態１における冷蔵庫の機械室の斜視図である。図２は、同実施の形態における冷蔵庫の機械室の組み立て状態を示す分解斜視図である。図３は、同実施の形態における冷蔵庫の機械室を機械室カバーで覆った状態を示す斜視図である。図４は、同実施の形態における冷蔵庫の正面図である。図５は、図４のＡ−Ａ線における断面図である。
【００４１】
図において、冷蔵庫本体１０１は断熱箱体１０２内に複数に区画された貯蔵室を有しており、上部より冷蔵室１０３，製氷室１０４及びこの製氷室１０４に並設された多目的室１０５，野菜室１０６，冷凍室１０７の順に配置されている。多目的室１０５は、冷凍，冷蔵，チルド，パーシャルフリージング等の温度帯の切替室や調理、熟成、解凍、乾燥，保温等の処理機能を備えた貯蔵室等である。
【００４２】
各貯蔵室の前面開口部には、例えばウレタンのような発泡断熱材を発泡充填した断熱扉が設けられ、冷蔵室１０３には観音開き式の扉１０８ａ，１０８ｂ、製氷室１０４，多目的室１０５，野菜室１０６，冷凍室１０７には、それぞれ引き出し式の扉１０９，１１０，１１１，１１２が設けられている。
【００４３】
断熱箱体１０２の天面後方のコーナー部には、冷蔵室１０３の庫内側に突出する形で凹ませた機械室１１３が形成されている。
【００４４】
機械室１１３は、樹脂成型で形成された機械室の外郭１１４を鋼板製の外箱１１５を切り欠いた切り欠き部１１６に嵌め込んだ形で係合して接合して形成される。切り欠き部１１６は、外箱の天面板１１５ａの領域内の切り欠き部１１６ａと外箱の両側面板１１５ｂの上端部より背面板１１５ｃの上端部を下げて接合することによって形成される切り欠き部１１６ｂとで上方と後方の２方向に開放した形で構成される。
【００４５】
機械室の外郭１１４は、冷蔵庫本体１０１の前方から見て、前壁１１４ａと底壁１１４ｂと両側壁１１４ｃとを有する断面略Ｌ字状に樹脂で形成したものであり、前壁１１４ａと底壁１１４ｂと両側壁１１４ｃの端面は折り曲げた形状のフランジ面１１４ｄ，１１４ｅ，１１４ｆがそれぞれ一体に形成され、機械室の外郭１１４の周縁のほぼ全週に渡ってフランジ面が形成されるよう構成されている。
【００４６】
そして、このフランジ面１１４ｄ，１１４ｅ，１１４ｆと鋼板製の外箱の切り欠き部１１６の周縁端面とを接合して外箱を構成するが、外箱の天面板１１５ａにおいて、切り欠き部１１６の周縁の両側部には平面部１１７を残した形で両側面板１１５ｂより折り曲げ形成されており、機械室の外郭１１４の両側部のフランジ面１１４ｆはこの平面部１１７上に重合するように接合される。これにより、外箱の両側面板１１５ｂと機械室の外郭の両側壁１１４ｃとがそれぞれ対面させて接合される。また、他のフランジ面１１４ｄ，１１４ｅ等は外箱１１５の天面板１１５ａや背面板１１５ｃの端面とかみ合わせるように接合される。
【００４７】
また、外箱の切り欠き部１１６の周縁端部の天面板１１５ａには補強構造１１８を施されている。補強構造１１８は、天面板１１５ａをプレス加工したビード状の形状や端面を折り返して二重構造とすることなどにより行う。
【００４８】
外箱の両側面板１１５ｂと機械室外郭の両側壁１１４ｃとは空間１１９をおいてそれぞれ対面させ、この空間１１９内に略Ｌ字状の補強材１２０を挿入して機械室外郭の両側壁１１４ｃの上部と後背部に固定している。
【００４９】
機械室１１３が接合された外箱１１５と樹脂製の内箱１２０は所定の間隔を有して接合され、この間隔内とこれに連通する空間１１９内にウレタンに代表されるような発泡断熱材１２１を充填発泡することで断熱箱体１０１が形成される。
【００５０】
機械室１１３内には冷凍サイクル機器としては圧縮機１２２，凝縮器の一部となる予冷凝縮器１２３，乾燥器１２４等、冷凍サイクルの高圧側の機器が収容され、これらを繋ぐ冷媒配管１２５が複数出入する。本実施の形態では、予冷凝縮器１２３から外箱１１５の内面に熱伝導的に配設される凝縮器に至る冷媒配管１２５ａ、外箱１１５の内面に熱伝導的に配設される凝縮器から乾燥器１２４に至る冷媒配管１２５ｂ、冷蔵庫本体１０１の下部で主として冷凍室１０７の後方に配置された蒸発器１２６から圧縮機１２２に至る冷媒配管１２５ｃである。
【００５１】
圧縮機１２２は冷蔵庫本体１０１の上部への設置を考慮して低騒音、低振動化を図りやすい内部低圧型でかつ往復動型の圧縮機を適用している。また、冷凍サイクル内の冷媒としては、地球環境保全の観点から地球温暖化係数が小さい可燃性冷媒であるイソブタンを使用している。
【００５２】
また、機械室の外郭１１４の外箱１１５との接合部近傍には、冷媒配管の連通溝１２７を形成しており、各連通溝１２７ａ，１２７ｂ，１２７ｃ内に各冷媒配管１２５ａ，１２５ｂ，１２５ｃを位置決め配設して外箱１１５と機械室の外郭１１４との貫通部をも併せてシールしている。
【００５３】
発熱を伴う高圧側の機器である圧縮機１２２，予冷凝縮器１２３の放熱促進を図るため、強制通風用の送風機１２８が圧縮機１２２と予冷凝縮器１２３との中間位置即ち機械室１１３の幅方向の中間位置に配置されている。送風機１２８を中間にして強制通風の上流側に予冷凝縮器１２３、下流側に圧縮機１２２を配置し、これにより、機械室１１３内は圧縮機１２２が配置される第１の区画１２９と予冷凝縮器１２３が配置される第２の区画１３０とに区画されている。
【００５４】
送風機１２８は、略直方体状の樹脂製の外郭１３１で囲われた軸流ファンを有するモーター駆動の送風機で、送風機の樹脂製の外郭１３１は、冷蔵庫前方から見てその周壁の前壁と底壁とを機械室の樹脂製の外郭１１４と嵌め合わせ状態で係合固定されている。
【００５５】
圧縮機１２２が配置される第１の区画１２９と予冷凝縮器１２３が配置される第２の区画１３０との間には高さ方向の段差部１３２が形成されている。圧縮機１２２が収容される第１の区画１２９の高さを予冷凝縮器１２３が収容される第２の区画１３０の高さより大きくし、段差部１３２で機械室１１３内の底壁の高さを変えている。
【００５６】
また、第１の区画１２９内に収容される圧縮機１２２は、冷蔵庫本体１０１の前方から見て冷蔵室の観音開き式の両扉１０８ａ，１０８ｂのいずれか片方の扉の投影面内に収まるような位置、すなわち観音開き式の両扉１０８ａ，１０８ｂの合わせ目となる位置から離れた位置に配置されている。
【００５７】
圧縮機１２２は、比較的板厚の厚い載置板１３３上に立てられた支持ピン１３４に弾性部材１３５を介して脚１３６で支持されており、機械室の外郭の底壁１１４ｂの裏面に固定された補強板１３７上に載置板１３３を介して圧縮機１２２が支持固定される構造となっている。
【００５８】
機械室１１３は上方と後方とが開放されており、この開放面を覆う形で機械室カバー１３８を機械室の外郭１１４に係合させて取り付けている。機械室カバー１３８は、樹脂で形成され、機械室１１４内と外部との空気の流通口１３９を備えている。空気の流通口１３９は、機械室内の第１の区画１２９に面して機械室カバー１３８の上面，背面に設けた排気口１３９ａ，１３９ｂと機械室内の第２の区画１３０に面して機械室カバー１３８の上面，背面に設けた吸気口１３９ｃ，１３９ｄとで構成され、機械室１１３の幅方向に第２の区画１３０から第１の区画１２９の方向に送風機１２８による強制対流作用が行われるように構成されている。
【００５９】
また、機械室カバー１３８は、少なくともその両側端部を機械室の外郭の両側壁１１４ｃ内に固定された補強材１２０に対してビス止め等で固定される。機械室カバー１３８の上面前端部や背面下端部は樹脂製の機械室の外郭１１４にビス止め等で固定される。
【００６０】
さらに、機械室カバー１３８にはその背面の両側部に渡って設けられた連結部材１４０が取り付けられ、この連結部材１４０は機械室カバー１３８，機械室の外郭１１４を介して機械室の外郭の両側壁１１４ｃ内に固定された補強材１２０を連結するように固定されている。連結部材１４０は機械室カバー１３８を介さず直接機械室の外郭１１４を介して補強材１２０に固定してもよい。
【００６１】
本実施の形態では、連結部材１４０を冷蔵庫を運搬する際の荷重に耐えられる強度と把持しやすい形状とすることにより、冷蔵庫運搬用の取っ手としても用いている。
【００６２】
以上のように構成された冷蔵庫について、以下その作用を説明する。
【００６３】
まず、鋼板製の外箱１１５を形成するにあたり、両側面板１１５ｂと天面板１１５ａとを併せた鋼板の板取りにおいて、天面板１１５ａに相当する部分にプレス加工で両側部に平面部１１７を残して切り欠き部１１６ａを打ち抜き、この平面部１１７を残した形で両側面板１１５ｂの部分を逆Ｕ字状に折り曲げ、次いで両側面板１１５ｂより長さの短い背面板１１５ｃと底面板（図示せず）を接合して外箱１１５の筐体としての外形を形成する。この方法は、少なくとも両側面板１１５ｂと天面板１１５ａとを一体に折曲形成し、これに背面板１１５ｃの上部を空けて接合するものであり、特に機械室相当部分の切り欠き部１１６を合理的に形成する上で有効である。
【００６４】
また、切り欠き部１１６ａは、両側部に平面部１１７を残して形成するため、両側面板１１５ｂに打ち抜き加工時等の歪みや損傷を与えず、天面板１１５ａと両側面板１１５ｂとを一体に折り曲げる場合には折曲部を奥行き方向の全長に渡って形成して外観を保つことができる。また、樹脂成形された機械室の外郭１１４を接合する際には両側部の接合相手の構造と成り得る。
【００６５】
そして、天面板の切り欠き部１１６ａと背面板１１５ｃが両側面板１１５ｂより長さが短いことにより背面上部に形成される切り欠き部１１６ｂとで構成される切り欠き部１１６に対して、樹脂で形成された機械室の外郭１１４を嵌め込む形で係合させフランジ面１１４ｄ，１１４ｅ，１１４ｆをそれぞれ外箱１１５の端面に固定することで冷蔵庫本体１０１の天面後方部に機械室１１３が形成される。これらの接合部は必要に応じて発泡断熱材の漏れ防止用のシール材を施す。
【００６６】
外箱１１５には予め内面にアルミ箔等の良熱伝導性の固定部材で凝縮器となる冷媒配管が配設され、切り欠き部１１６ａに対して冷媒配管１２５ａ，１２５ｂの端部が導出されている。凝縮器となる冷媒配管は外箱の折り曲げ前に配設しても、折り曲げ後に配設しても構わない。冷媒配管１２５ａ，１２５ｂの端部は発泡断熱材の漏れ防止用のシール材を施した上で、機械室の外郭の連通溝１２７ａ，１２７ｂ内に位置決めされる。
【００６７】
一方、蒸発器１２６からの戻り配管となる冷媒配管１２５ｃは外箱の背面板１１５ｃに接触することのないようにして機械室の外郭の連通溝１２７ｃ内に位置決めされて機械室内に導出される。
【００６８】
このようにして構成された天面後方部に機械室１１３を有する外箱１１５の接合体に対して、別途真空成型加工で形成された樹脂製の内箱を所定の間隔をおいて内側に係合させ、次いで断熱材の発泡工程でウレタン等の発泡断熱材を充填発泡させることで断熱箱体１０２が形成される。
【００６９】
断熱箱体１０２の完成後に、機械室１１３内に対して冷凍サイクルの圧縮機１２２，予冷凝縮器１２３，乾燥器１２４等の機器、部品を収容する。そして、圧縮機１２２と予冷凝縮器１２３、予冷凝縮器１２３と冷媒配管１２５ａ、冷媒配管１２５ｂと乾燥器１２４、冷媒配管１２５ｃと圧縮機１２２とをそれぞれ溶接により連結し、各機器を機械室の外郭１１４に対して固定する。機器の固定と配管溶接の順序は製造工程の都合や作業性により適宜変更することが可能である。
【００７０】
この後、強制通風用の送風機１２８を機械室の外郭１１４に固定した上で機械室カバー１３８を被せ、冷蔵庫運搬用の取っ手となる連結部材１４０を取り付ければ機械室１１３周りの構造体が完成する。
【００７１】
以上のように構成された圧縮機上部配置型の冷蔵庫によると、圧縮機１２２を載置する機械室の外郭１１４を樹脂で形成したので、例えば、本実施の形態のように、外箱１１５の機械室１１３が対応する部分に天面板１１５ａの切り欠き部１１６ａと背面板１１５ｂの上部の切り欠き部１１６ｂとで構成される切り欠き部１１６を形成してこの機械室の外郭１１４を接合すれば、予め外箱１１５の機械室相当部分を切り欠いておくことによって、機械室相当部分の異形で複雑な形状を外箱１１５で形成する必要がなく、鈑金工程の難易度が抑えられて簡素化され、金属板である鋼板も高価な深絞り材等を用いる必要がない。
【００７２】
すなわち、圧縮機１２２を収容する異形で複雑な形状の機械室部分を外箱１１５の鋼板とは別体で予め形成することができ、外箱用の鋼板を折り曲げ加工したり、プレスで絞り加工したりして形成するような難易度が高く、成形精度もばらつき易い手段と比べて、機械室１１３を形成する組み立て工程において簡素化による作業性の向上と組み立て精度の向上が図れ、工数や歩留まりも含めた総合的な製造コストを抑えて、圧縮機上部配置型の冷蔵庫を高い品質で合理的に提供することができる。
【００７３】
樹脂製の機械室の外郭１１４を外箱１１５とどのように係合させ、接合固定するかは、本実施の形態の切り欠き部１１６に嵌め込む方法以外にも他の手段があるが、どの方法であっても機械室の外郭１１４を樹脂で成型した別体構成とする効果は享受することができる。
【００７４】
なお、機械室の外郭１１４の樹脂成形は極力全体の一体成形が好ましいが、成形上の都合によっては、部分的に複数の成型品の組み合わせとなっても構わない。
【００７５】
また、機械室の外郭１１４の樹脂成形においては、板厚，樹脂材料等を選定し、リブ成型等の補強構造を適宜施したり、外箱１１５との接合構造を確実で適切なものとすることにより樹脂成形であっても剛性を一定以上に高めることができる。
【００７６】
機械室の外郭１１４を前壁１１４ａと底壁１１４ｂと両側壁１１４ｃとを有する断面略Ｌ字状に樹脂で形成することにより、樹脂で形成された機械室の外郭１１４自体の構造強度をまず高めることができ、圧縮機１２２や送風機１２８の振動，騒音の伝達を抑制する基盤構成とすることが可能である。
【００７７】
機械室の外郭１１４の各壁１１４ａ，１１４ｂ，１１４ｃの端面にフランジ面１１４ｄ，１１４ｅ，１１４ｆを形成することにより、機械室の外郭１１４の各壁端面をそのままでなく、折曲形成することによる剛性の強化が図れ、外箱１１５との接合構造において圧縮機１２２や送風機１２８の振動，騒音の伝達を抑制することが可能である。
【００７８】
また、鋼板製の外箱１１５とは材質の異なる樹脂成形の部材を接合することになるので、載置された圧縮機１２２からの振動伝播が減衰し、振動や共振音が冷蔵庫本体１０１に伝播することが抑制され、例えば冷蔵室１０３内に取り付けられた庫内部品の共振音の発生等も防止できる。
【００７９】
圧縮機上部配置型の冷蔵庫は、使用者等の人の耳の高さに機械室１１３の配置高さが近くなるため、圧縮機１２２等の発生する騒音や振動音が耳障りになりやすいが、機械室の外郭１１４を別体の樹脂成形で組み合わせることによって、圧縮機上部配置型の冷蔵庫においても使用者や居住者の不快感を拭うことができる。
【００８０】
また、冷蔵庫の外形の異なる製品間にあっては、機械室１１３を外箱１１５の加工により形成するものであると、製造工程で各製品の外形寸法に合わせてそれぞれ機械室を形成する外箱仕様が異なってしまい生産性を高めにくいが、機械室の外郭１１４を別途樹脂で一体成型して冷蔵庫本体の外箱１１５と接合する構成を採用することによって、冷蔵庫の外形の異なる製品間でも機械室部分の共用化や標準化を図り生産性を高め、全体的な製造コストの低減に結びつけることも可能である。
【００８１】
また、製造工程の工夫によっては、樹脂成形された機械室の外郭１１４に圧縮機１２２をはじめとした各部品を予め装着して予備的に組み立てておき、この機械室の予備組み立て品を外箱の切り欠き部１１６に装着して接合させ、冷媒配管１２５ａ，１２５ｂ，１２５ｃ等を連結するなどの方法も考えられ、製造工程の一層の合理化による生産性の向上や予備組み立て品としての共用化、標準化を取り入れることによる製造コストの更なる低減が図れる。
【００８２】
機械室１１３内に収容された圧縮機１２２を強制冷却する送風機１２８は、樹脂で形成された機械室の外郭１１４に固定したものであり、圧縮機１２２と同じく駆動部分であるモーターやファンを有する送風機１２８を樹脂成形の機械室の外郭１１４に取り付けることによって冷蔵庫本体１０１への振動伝播が減衰し、冷蔵室１０３内等の庫内部品の共振や共振音の発生を避けることができる。また、送風機１２８自体も機械室の外郭１１４に予め組み付けることができ、製造工程等において、圧縮機１２２の強制冷却機能を備えた機械室１１３を合理的に別体で準備でき主幹の製造工程を簡略化できる。
【００８３】
予冷凝縮器１２３は圧縮機１２２の吐出配管側に接続され、外箱１１５の内面や冷蔵庫本体１の底面に配設される主凝縮器（図示せず）に至るまでの凝縮器の一部となる凝縮配管であり、本実施の形態では圧縮機１２２からの振動伝達を抑制する目的も含めて配管をループ状に旋回させた形状をとり、この部で圧縮機１２２から吐出される高温の冷媒ガスの放熱を促進する。この予冷凝縮器１２３を送風機１２８の強制対流路中に組み込むことにより圧縮機１２２の強制冷却に加えて予冷凝縮器１２３も強制冷却されることになり、強制冷却式の高圧ユニットを組み込んだ機械室組み立て品をコンパクトで合理的に構成できる。
【００８４】
また、大きなスペースがなくても送風機１２８の強制通風作用を利用して予冷凝縮器１２３において相当の顕熱分の放熱促進が可能であり、この予冷凝縮器１２３に続く凝縮器配管が断熱箱体の外箱１１５の内面に熱伝導的に配設されるものである場合などには、これらの配管温度を効果的に低減でき外箱１１５の相当部分の表面温度を低下させて使用者等が触れることによる不快感を軽減することができる。
【００８５】
なお、本実施の形態では予冷凝縮器１２３を用いたが、設置スペースが許せばフィンチューブ型熱交換器等の熱交換効率の高い凝縮器を収容して、主凝縮器の強制冷却を行わせることももちろん可能である。
【００８６】
また、機械室の外郭１１４には各冷媒配管の連通溝１２７ａ，１２７ｂ，１２７ｃを形成しているので、圧縮機１２２や予冷凝縮器１２３と連結される各冷媒配管１２５ａ，１２５ｂ，１２５ｃが機械室１１３内に出入する部位の位置決めが明確になり、組み立て作業性や組み立て精度が高くなり、発泡断熱材１２１の漏れシール等の構造も併せて確実に行うことができる。
【００８７】
機械室１１３内の幅方向のスペースにおいて、圧縮機１２２が配置される第１の区画１２９と予冷凝縮器１２３が配置される第２の区画１３０とを区画するように送風機１２８を圧縮機１２２の上流側で予冷凝縮器１２３の下流側に配置しているので、圧縮機１２２の高熱が予冷凝縮器１２３の放熱を妨げることを回避しながら圧縮機１２２，予冷凝縮器１２３がともに強制冷却効果を享受することができる。
【００８８】
機械室１１３の上方，後方の開放面を覆う機械室カバー１３８に形成された外部からのとの空気の吸気口１３９ｃ，１３９ｄは第２の区画１３０に面して設けられ、外部への空気の排気口１３９ａ，１３９ｂは第１の区画１２９に面して設けられているので、外部からの空気は送風機１２８の運転により、まず第２の区画１３０内に導入されて予冷凝縮器１２３を冷却し、次いで第１の区画内に導入されて圧縮機１２２を冷却した後外部へ排気され、放熱が促進される。これにより、機械室の幅方向を効果的に放熱用の対流通路として利用することができ、放熱効率を最大限に引き出すことができる。
【００８９】
機械室カバー１３８は、樹脂で形成された機械室の外郭１１４に係合させて機械室１１３の開口面を覆うものであり、係合相手が樹脂製の機械室外郭１１４であるので機械室カバー１３８に合わせた係合構造を容易に形成することができ、一定の放熱性を維持しながら外観意匠面の問題や機械室内への埃や虫、鼠等の異物の侵入による機能弊害を避けることができ、また騒音の外部への透過を防止することができる。
【００９０】
送風機１２８は樹脂製の外郭１３１を有し、樹脂製の外郭１３１を樹脂で形成された機械室の外郭１１４に係合させて第１の区画１２９と第２の区画１３０との間を区画するので、機械室の樹脂製の外郭１１４と送風機の樹脂製の外郭１３１とが係合した形で機械室１１３の幅方向の中間部で接合されることによって梁が形成され、機械室の外郭１１４の幅方向の剛性が結果的に高くなり送風機１２８自体や圧縮機１２２の振動，騒音の伝達を抑制することができる。
【００９１】
また、送風機１２８を中間にして圧縮機１２２と予冷凝縮器１２３を左右に分ける配置となることにより、圧縮機１２２が冷蔵庫本体１０１の幅方向の中央よりも片側に偏在した配置となるため、本実施の形態のように、本体上部の冷蔵室１０３に観音開き式の扉１０８ａ，１０８ｂを有する冷蔵庫においては、圧縮機１２２の配置位置が観音開き式の両扉１０８ａ，１０８ｂの合わせ目となる位置から離れて観音開き式の両扉１０８ａ，１０８ｂのいずれか片側の扉の前方からみた投影面内に収まるような位置となる。観音開き式の両扉１０８ａ，１０８ｂの合わせ目に近いほど扉を閉めた際の衝撃で圧縮機１２２が揺れて圧縮機１２２の内部機構と圧縮機１２２の容器が衝突して生じる釜当たり音が発生する懸念があるが、この配置により、その衝撃が強い位置を避けて圧縮機１２２を配置することができ使用者等に不快な異音を感じさせることを防止できる。
【００９２】
圧縮機１２２の載置は別途設ける載置板１３３上で組み付けが行われて弾性的に支持されるため、この組み付け品を載置板１３３ごと機械室外郭の底壁１１４ｂの裏面に固定した補強板１３７にビス等で固定すれば圧縮機１２２の微妙な取り付けばらつきを抑制して精度よく圧縮機１２２を配置でき振動拡大の要因を抑えることができる。また、予め圧縮機の脚部を載置板上に支持固定することになるため、作業性が良好であり確実な支持が行える。
【００９３】
また、重量の重い圧縮機１２２の支持基盤を樹脂製の外郭１１４のみに依存せず、比較的厚みのある金属板等の補強板１３７でバックアップすることにより支持強度を高めて振動伝達を抑制することができる。また、補強板１３７の下部が発泡断熱材１２１で密着接合されていれば、さらに振動伝達を減衰することができる。
【００９４】
圧縮機１２２の収容に必要な高さスペースと予冷凝縮器１２３の収容に必要な高さスペースの差異に着目し、予冷凝縮器１２３を収容する第２の区画１３０の高さスペースを抑えることにより、第１の区画１２９と第２の区画１３０との間に高さ方向の段差部１３２を形成しているので、機械室の幅方向の中間部に段差部１３２による剛性強化部分を形成でき、機械室の外郭１１４の幅方向の剛性が高くなり圧縮機１２２や送風機１２８の振動，騒音の伝達を抑制することができる。
【００９５】
また、外箱の天面板１１５ａには、切り欠き部１１６ａの周縁端部に補強構造１１８を施しており、平板の端面の強度を高め、波打ちを防止して樹脂成形の機械室の外郭１１４との接合強度を向上することができる。
【００９６】
樹脂製の機械室の外郭１１４の両側壁１１４ｃは、外箱の両側面板１１５ｃと対面して平面部１１７でフランジ面１１４ｆと重ね合わせて接合したものであり、平面部１１７の裏面に固定された略Ｌ字状の補強材１２０にビス止めすることによって、機械室１１３の両側部の外箱強度を補強することができ機械室１１３から外箱１１５への振動伝播を抑制することができる。
【００９７】
外箱の両側面板１１５ｃと機械室の外郭の両側壁１１４ｃとの間に形成した空間１１９内に断熱箱体１０２に充填発泡する際のウレタン等の発泡断熱材１２１を充填させることによって、両側面板１１５ｃと機械室の外郭の両側壁１１４ｃの接合部の強度を補強し、剛性を高めることができる。これにより、機械室１１３の両側部からの騒音の透過を減衰し圧縮機１２２，送風機１２８の外部への騒音影響を低減することができ、圧縮機１２２，送風機１２８の振動により側壁が振動することによる冷蔵室１０３内の庫内共振音を抑えることができる。
【００９８】
また、機械室カバー１３８や運搬用取っ手１４０等の取り付けの基部としての強度を持たせることもできる。さらに補強材１２０を設けているので、機械室カバー１３８や運搬用取っ手１４０等の取り付けを行う際、ビス止め等の固定が堅牢となるほか、冷蔵庫運搬用の取っ手１４０を設ける際には、荷重を受ける取っ手１４０を強固に取り付ける基材とすることができる。機械室カバー１３８の取り付け強度を高めることにより、圧縮機１２２や送風機１２８の振動により機械室カバー１３８が共振することによる共振音が発生するのを抑制することができる。
【００９９】
取っ手１４０は、両側に設けた補強材１２０を連結するように設けると、機械室の外郭１４の幅方向の連結部材とすることができ、機械室両側部の幅方向への変形を防止し機械室部分の剛性を一層高めて振動，騒音対策や冷蔵庫運搬時の補強対策として有効な構造体とすることができる。
【０１００】
（実施の形態２）
図６は、本発明の実施の形態２における冷蔵庫の機械室の組み立て状態を示す分解斜視図である。
【０１０１】
図において、外箱の両側面板１１５ｂの内面には真空断熱材２０１が例えば、ホットメルト等の接着剤で貼着されている。この真空断熱材２０１は両側面板１１５ｂの上部にまで設けられて、機械室の外郭の両側壁１１４ｃとの間の空間１２９内にも延在して貼着されている。
【０１０２】
また、機械室の外郭の各壁１１４ａ，１１４ｂ，１１４ｃの裏面にも、それぞれの大きさに見合った真空断熱材２０１と同様の材料で構成された小型の真空断熱材２０２が貼着されている。真空断熱材１２２は必ずしも機械室の外郭の各壁１１４ａ，１１４ｂ，１１４ｃの全ての面に設けなくてもよく、機械室１１３内の部品の取り付けや効果の度合いとの絡みで適宜設ける部位を選定すればよい。
【０１０３】
真空断熱材２０１は、芯材材料としてガラス繊維を層状に重ねたボード材を用い、これをアルミ等の金属箔や金属蒸着フィルム等をガスバリアー性のベースにした多層樹脂フィルムよりなる外被材で覆い、内部を真空排気処理した高性能の断熱材であり、芯材材料としてはシリカ，パーライトなど粉末状のものや連通フォームのウレタン樹脂等を選択することもできるが、本実施の形態では、特に無機材料でガス発生による経時的な断熱性の劣化が少なく、芯材としての形状保持効果高くて平面性や薄板化などの加工性に優れ、伝熱抵抗が高く高性能化が図りやすいガラス繊維を芯材として選定している。
【０１０４】
このような真空断熱材２０１は、主として断熱性能の強化の目的に用いることが主であるが、ウレタン等の発泡断熱材１２１中に埋設させ、異種または構造の異なる部材や材料による複層構造とすることによって、騒音透過に対する減衰効果を高めることができる。ガラス繊維を芯材に用いた真空断熱材２０１であると、ガラス繊維が複雑に絡み合ったＷｅｂ状に存在し、かつ内部が真空であるため騒音や振動の透過を減衰させる効果が大きいという利点がさらに得られ、この点においても極めて有効である。
【０１０５】
真空断熱材２０１，２０２を設けることにより、騒音透過に対する減衰効果を高めるとともに単一材料で遮音する場合と比べてより広い周波数域における騒音を減衰することができるので、外部へ伝達する騒音の漏れを減少させることができ、庫内への騒音の透過を抑制することができるので、圧縮機１２２を上部に配置した冷蔵庫においては特に、使用者等の人の耳への耳障りな音の伝達を抑え、騒音を低減することができる。
【０１０６】
また、機械室の外郭１１４の裏面に真空断熱材２０２を帖着すると、圧縮機１２２，予冷凝縮器１２３等発熱を伴う機器を収容する機械室１１３内から冷蔵室１０３等の庫内への熱漏洩を効果的に高めることができる。
【０１０７】
真空断熱材２０２は機械室の外郭１１４に予め組み付けておくことができるため、貼り付け部位が樹脂成形で枠組みできるなど貼り付け精度がよく作業性もよい。また、真空断熱材２０２の外被材の端部で発泡断熱材１２１の流動性を妨げないように端部を織り込んだりする処理を貼り付け部位の樹脂成形の枠組み内で行いやすくなり、最も温度差が大きく断熱効果を要求される機械室１１３と冷蔵室１０３等庫内間の断熱構造としての信頼性を高めることができる。
【０１０８】
さらに芯材材料としてガラス繊維を選定すると、平面性が高く加工性にも優れるので機械室の外郭１１４の各壁に帖着しやすく好ましいものである。
【０１０９】
（実施の形態３）
図７は、本発明の実施の形態３における冷蔵庫の機械室の組み立て状態を示す分解斜視図である。
【０１１０】
図において、外箱３０１は、機械室１１３の対応する部分が段差状に折り曲げられた凹部３０２となった天面板３０３と背面板３０４とが２枚の側面板３０５に別々に接合され、筐体を構成している。
【０１１１】
凹部３０２に樹脂で形成した機械室の外郭１１４を重合させることにより、機械室相当部分が鋼板と樹脂の二重構造になって構造強度が高められ、柔軟性部材等を介して両者の接合構造に配慮をすれば圧縮機１２２や送風機１２８の振動，騒音の伝達をより抑制することが可能である。
【０１１２】
また、機械室相当部分を切り欠いて樹脂製の機械室の外郭１１４を嵌め込む方法でないため、切り欠き部周縁の接合部での発泡断熱材１２１のシール構造を懸念する必要がない。
【０１１３】
また、外箱３０１は、少なくとも両側面板３０５と天面板３０３とを分離された鋼板で接合形成したものであり、外箱形成の自由度が拡がる。例えば、上記のような二重構造とせず、機械室１１３の相当部分に切り欠き部を設ける場合は切り欠き形成が必要でなく、天面板３０３の長さを調整すれば足りる。
【産業上の利用可能性】
【０１１４】
以上のように、本発明にかかる冷蔵庫は、圧縮機上部配置型の冷蔵庫を高い品質で合理的に提供することができ、圧縮機の騒音，振動の伝播を抑制し、庫内部品の共振音の発生等も防止して使用者や居住者の不快感を拭うことができる実用効果の高いものであるので、家庭用の冷蔵庫のみならず、圧縮機を本体上部に配置する機器の機械室構成として幅広く適用できる。
【図面の簡単な説明】
【０１１５】
【図１】本発明の実施の形態１における冷蔵庫の機械室の斜視図
【図２】同実施の形態における冷蔵庫の機械室の組み立て状態を示す分解斜視図
【図３】同実施の形態における冷蔵庫の機械室を機械室カバーで覆った状態を示す斜視図
【図４】同実施の形態における冷蔵庫の正面図
【図５】図４のＡ−Ａ線における断面図
【図６】本発明の実施の形態２における冷蔵庫の機械室の組み立て状態を示す分解斜視図
【図７】本発明の実施の形態３における冷蔵庫の機械室の組み立て状態を示す分解斜視図
【図８】従来の冷蔵庫の断面図
【図９】従来の冷蔵庫を後方より見た要部斜視図
【符号の説明】
【０１１６】
１０１  冷蔵庫本体
１０２  断熱箱体
１１３  機械室
１１４  機械室の外郭
１１４ａ，１１４ｂ，１１４ｃ  機械室の外郭の壁面
１１４ｄ，１１４ｅ，１１４ｆ  機械室の外郭のフランジ面
１１５，３０１  外箱
１１５ａ，３０３  天面板
１１５ｂ，３０５  側面板
１１５ｃ，３０４  背面板
１１６，１１６ａ，１１６ｂ  切り欠き部
１１７  平面部
１１８  補強構造
１１９  空間
１２０  補強剤
１２１  発泡断熱材
１２２  圧縮機
１２３  予冷凝縮器（凝縮器）
１２５，１２５ａ，１２５ｂ，１２５ｃ  冷媒配管
１２７，１２７ａ，１２７ｂ，１２７ｃ  連通溝
１２８  送風機
１２９  第１の区画
１３０  第２の区画
１３１  送風機の外郭
１３２  段差部
１３３  載置板
１３７  補強板
１３８  機械室カバー
１３９ａ，１３９ｂ  排気口
１３９ｃ，１３９ｄ  吸気口
１４０  連結部材（取っ手）
２０１，２０２  真空断熱材
３０２  凹部
【図１】
2007003182.tif 000003
【図２】
2007003182.tif 000004
【図３】
2007003182.tif 000005
【図４】
2007003182.tif 000006
【図５】
2007003182.tif 000007
【図６】
2007003182.tif 000008
【図７】
2007003182.tif 000009
【図８】
2007003182.tif 000010
【図９】
2007003182.tif 000011